(57)【要約】【課題】農作業を効率よく行うことができる樹木識別標識を提供する。【解決手段】樹木識別標識１０は、樹木を識別するためのものであり、樹木の枝２０に吊り下げるための吊り下げ具１１と、この吊り下げ具１１に取り付けられた標識部１２とを備えている。標識部１２には、品種名と、その樹木の所在位置情報とが記載されており、柱状に形成されていることが好ましい。また、標識部１２には、品種により異なった色を付すことにより識別する色分識別部１３が設けられていることが好ましい。【選択図】図１
0003194637.tif 000002
【実用新案登録請求の範囲】
【請求項１】
樹木を識別するための樹木識別標識であって、
樹木の枝に吊り下げるための吊り下げ具と、
この吊り下げ具に取り付けられ、品種名と、その樹木の所在位置情報とが記載された柱状の標識部と
を備えたことを特徴とする樹木識別標識。
【請求項２】
前記標識部は、品種により異なった色を付すことにより識別する色分識別部を有することを特徴とする請求項１記載の樹木識別標識。
【考案の詳細な説明】
【技術分野】
【０００１】
本考案は、樹木を識別するための樹木識別標識に関する。
【背景技術】
【０００２】
りんご等の果実を栽培する際に、同一品種のみを植林すると、収穫時期が集中してしまい、収穫が大変となる。そこで、少しずつ収穫時期がずれるように、複数種類の品種を植林することが行われている。品種の数を多くすれば、長期間にわたって順番に収穫することができるので好ましい。ところが、品種の数を多くすると、どの品種の樹がどこにあるのかがわかりにくくなり、収穫作業をする人が、どの順番にどの樹の収穫をすればよいのかがわからないという問題があった。そのため、園主が作業をする人に付き添って一緒に作業を行わなければならなかった。
【０００３】
これを解決する方法としては、例えば、樹に品種名を書いたラベルを貼ることが考えられる（例えば、特許文献１参照）。しかしながら、樹にラベルと貼ると、カビ削りあるいは粗皮削りの作業に支障が生じてしまうという問題があった。また、ラベルを貼っている箇所が病害虫の温床となってしまうという問題もあった。更に、樹が成長するとラベルが剥がれてしまうという問題もあった。
【先行技術文献】
【特許文献】
【０００４】
【特許文献１】実用新案登録３１５７０２０号公報
【考案の概要】
【考案が解決しようとする課題】
【０００５】
本考案は、このような問題に基づきなされたものであり、農作業を効率よく行うことができる樹木識別標識を提供することを目的とする。
【課題を解決するための手段】
【０００６】
本考案の樹木識別標識は、樹木を識別するためのものであって、樹木の枝に吊り下げるための吊り下げ具と、この吊り下げ具に取り付けられ、品種名と、その樹木の所在位置情報とが記載された柱状の標識部とを備えたものである。
【考案の効果】
【０００７】
本考案の樹木識別標識によれば、標識部を吊り下げ具により樹木の枝に吊り下げるようにしたので、カビ削りあるいは粗皮削りの作業を妨げることなく、病害虫の温床となる心配もない。また、樹木が成長しても剥がれてしまうこともない。更に、設置が楽で、剪定により枝を切り落としても、吊り下げ位置を容易に変えることができる。加えて、枝に吊り下げるので、視認性がよく、どの位置からでも容易に確認することができる。よって、作業者が樹木の品種とその所在位置を容易に認識することができ、作業効率を向上させることができる。また、標識部に記載されている品種名及び所在位置情報と、行った作業内容とを、データベース化することにより、作業状況を容易に管理することもできる。
【０００８】
更に、品種により異なった色を付すことにより識別する色分識別部を設けるようにすれば、色分けにより、遠くからでも品種の識別を容易に行うことができる。
【図面の簡単な説明】
【０００９】
【図１】本考案の一実施の形態に係る樹木識別標識の構成を表す図である。
【考案を実施するための形態】
【００１０】
以下、本考案の実施の形態について、図面を参照して詳細に説明する。
【００１１】
図１は、本考案の一の実施の形態に係る樹木識別標識１０の構成を表すものである。この樹木識別標識１０は、樹木を識別するためのものであり、樹木の枝２０に吊り下げるための吊り下げ具１１と、この吊り下げ具１１に取り付けられた標識部１２とを備えている。吊り下げ具１１は、枝２０に吊り下げることができればどのようなものでもよく、例えば、紐状部材により構成される。
【００１２】
標識部１２は、柱状に形成されており、品種名と、その樹木の所在位置情報とが記載されている。柱状とすることにより、様々な位置から標識部１２を視認することが容易となるからである。標識部１２は、例えば、角柱状でも円柱状でもよい。所在位置情報としては、例えば、畑名や番地が挙げられる。また、標識部１２には、品種名及び所在位置情報に加えて、各樹木に個別に付したＩＤ番号を記載することが好ましい。各樹木を個別に識別して管理することが容易となるからである。
【００１３】
更に、標識部１２には、品種により異なった色を付すことにより識別する色分識別部１３が設けられていることが好ましい。色分けにより、遠くからでも品種の識別を容易に行うことができるからである。色分識別部１３は、例えば、どの方向からも見えるように、周方向の全体にわたり、連続して又は間欠的に設けることが好ましい。なお、図１では、色分識別部１３を網掛けで示している。
【００１４】
この樹木識別標識１０は、例えば、次のようにして用いることができる。まず、例えば、標識部１２に、品種名及び所在位置情報等を記載し、吊り下げ具１１により対応する樹木の枝２０に吊り下げる。また、例えば、品種名及び所在位置情報等をデータベース化し、どの場所にどの品種の樹木があるかを分かるようにしておく。このデータベースを基に、例えば、園主は作業者に作業を指示し、又は、作業者は作業計画をたてる。また、例えば、作業者は、作業を行った後に行った作業内容をデータベースに書き込む。
【００１５】
このように品種名、所在位置情報等と作業内容とをデータベース化するようにすれば、いつ、だれが、どの樹木に、何をしたのかの記録が残り、園主は、作業者の作業状況をチェックし指導管理することができる。また、作業者は、明確な目的意識をグループで共有することができる。その結果、作業効率及び品質の向上を図ることができる。また、作業者に農作業を任せることができるようになり、経営者は経営に多くの時間をかけることができるようになる。なお、データベースをクラウドサービスのサーバーに構築し、スマートフォンなどの通信端末によりアクセスするようにすれば、より効率よく行うことができるので好ましい。
【００１６】
このように本実施の形態によれば、標識部１２を吊り下げ具１１により樹木の枝２０に吊り下げるようにしたので、カビ削りあるいは粗皮削りの作業を妨げることなく、病害虫の温床となる心配もない。また、樹木が成長しても剥がれてしまうこともない。更に、設置が楽で、剪定により枝を切り落としても、吊り下げ位置を容易に変えることができる。加えて、枝２０に吊り下げるので、視認性がよく、どの位置からでも容易に確認することができる。よって、作業者が樹木の品種とその所在位置を容易に認識することができ、作業効率を向上させることができる。また、標識部１２に記載されている品種名及び所在位置情報と、行った作業内容とを、データベース化することにより、作業状況を容易に管理することもできる。
【００１７】
更に、品種により異なった色を付すことにより識別する色分識別部１３を設けるようにすれば、色分けにより、遠くからでも品種の識別を容易に行うことができる。
【００１８】
以上、実施の形態及び実施例を挙げて本考案を説明したが、本考案は上記実施の形態及び実施例に限定されるものではなく、種々変形可能である。例えば、上記実施の形態では、各構成要素について具体的に説明したが、全ての構成要素を備えていなくてもよく、また、他の構成要素を備えていてもよい。また、本考案は、りんごに限らず、梨やみかん等の各種樹木の識別に用いることができる。
【符号の説明】
【００１９】
１０…樹木識別標識、１１…吊り下げ具、１２…標識部、１３…色分識別部、２０…枝
【図１】
0003194637.tif 000003